(57)【特許請求の範囲】
【請求項１】
カムフォロアを有する絞りユニットと、
前記カムフォロアと係合するカム溝を有し、前記絞りユニットの外周側に配され、光軸方向に移動可能な移動筒、を備える
レンズ鏡筒。
【請求項２】
前記絞りユニットは、焦点距離によって開放径が変化する
請求項１に記載のレンズ鏡筒。
【請求項３】
前記移動筒は、レンズを保持する
請求項１又は請求項２に記載のレンズ鏡筒。
【請求項４】
固定筒を備え、
前記移動筒は、前記固定筒の内側に配される
請求項１から請求項３のいずれか１項に記載のレンズ鏡筒。
【請求項５】
前記固定筒は、光軸方向に延びる第１係合部を有し、
前記移動筒は、前記第１係合部と係合し、光軸方向に延びる第２係合部を有する
請求項４に記載のレンズ鏡筒。
【請求項６】
前記第１係合部と前記第２係合部とが係合する長さは、レンズの倒れを抑制できる長さである
請求項５に記載のレンズ鏡筒。
【請求項７】
前記絞りユニットと前記移動筒との相対的な移動量は、前記絞りユニットと前記固定筒との相対的な移動量よりも小さい
請求項４から請求項６のいずれか１項に記載のレンズ鏡筒。
【請求項８】
前記カムフォロアは、前記カム溝の一方の壁と当接して前記カム溝内を移動し、他方の壁とは隙間を有する
請求項１から請求項７のいずれか１項に記載のレンズ鏡筒。
【請求項９】
前記絞りユニットは、光軸方向に移動可能であり、前記移動筒が移動する方向と同じ方向に移動する
請求項１から請求項８のいずれか１項に記載のレンズ鏡筒。
【発明の詳細な説明】
【技術分野】
【０００１】
本発明は、レンズ鏡筒に関する。
【背景技術】
【０００２】
従来、ズーミングにより開放口径が変化するレンズ鏡筒がある。
このようなレンズ鏡筒の場合、開放口径を設定するためのカム溝は固設された筒に形成されていた。（例えば、特許文献１参照）。
【先行技術文献】
【特許文献】
【０００３】
【特許文献１】特開２００１−２９０１９０号公報
【発明の概要】
【０００４】
本発明のレンズ鏡筒は、カムフォロアを有する絞りユニットと、前記カムフォロアと係合するカム溝を有し、前記絞りユニットの外周側に配され、光軸方向に移動可能な移動筒と、を備える構成とした。
【図面の簡単な説明】
【０００５】
【図１】本実施形態のレンズ鏡筒１の断面図である。
【図２】第２群移動筒７と固定筒６と第３−５群移動筒８との位置関係を示す広角状態の図である。
【図３】第２群移動筒７と固定筒６と第３−５群移動筒８との位置関係を示す望遠状態の図である。
【図４】カム筒５の展開図である。
【図５】カム筒５、第２群移動筒７、絞りユニット２０、第３−５群移動筒８の分解斜視図である。
【図６】絞りユニット２０の部分側面図である。
【図７】第２群移動筒７を説明する図で、（ａ）は第２群移動筒７の一部分を内面側から見た図、（ｂ）は調整カム溝７ｂの拡大図である。
【図８】広角状態での、第２群移動筒７と第３−５群移動筒８との位置関係、及びそれに伴うカムフォロア２１ａの調整カム溝７ｂに対する位置関係を説明する図である。
【図９】望遠状態での、第２群移動筒７と第３−５群移動筒８の位置関係、及びそれに伴うカムフォロア２１ａの調整カム溝７ｂに対する位置関係を説明する図である。
【図１０】広角状態でのカム板２４と絞り羽根２３との位置関係を示した前側からみた図であり、絞り羽根２３は１枚のみ示す。
【図１１】望遠状態でのカム板２４と絞り羽根２３との位置関係を示した前側からみた図であり、絞り羽根２３は１枚のみ示す。
【図１２】（ａ）は第２群移動筒７の断面図で、（ｂ）は（ａ）の一部拡大図である。
【発明を実施するための形態】
【０００６】
（全体説明）
図１は、本実施形態のレンズ鏡筒１の断面図である。図中、左側が光軸ＯＡ方向被写体側（前側、プラス側）、右側が光軸ＯＡ方向ボディ側（後側、マイナス側）である。レンズ鏡筒１は、望遠（テレ）から広角（ワイド）までの撮影状態と、縮筒状態（収納状態、沈胴状態とも言う）とを有し、図示しないカメラボディに着脱可能な交換レンズである。図１の上部はレンズ鏡筒１が最も短い縮筒状態、下部はレンズ鏡筒１が最も長い望遠状態を示す。
【０００７】
レンズ鏡筒１は、第１群レンズＬ１、第２群レンズＬ２、第３群レンズＬ３、第４群レンズＬ４、第５群レンズＬ５を備える。第４群レンズＬ４はフォーカスレンズである。
【０００８】
レンズ鏡筒１は、外周側（外径側）から、ズーム環２、直進筒３、第１群移動筒４、カム筒５、固定筒６、第２群移動筒７、第３−５群移動筒８、モータ移動筒９を備える。
また、図２は、第２群移動筒７と固定筒６と第３−５群移動筒８との位置関係を示す広角状態の図で、図３は、第２群移動筒７と固定筒６と第３−５群移動筒８との位置関係を示す望遠状態の図である。図４はカム筒５の展開図である。
【０００９】
図１に示すようにズーム環２は、外周にゴムリング２ａを備えている。撮影者は、ズーム環２を回転操作することにより、ズーミングを行う。
【００１０】
固定筒６は、マウントに対して固定されている。
カム筒５は、ズーム連動ピンＭＺと直進筒連結ピンＭＣが設けられている（図４）。ズーム連動ピンＭＺはズーム環２の内周側（内径側）の直進溝と係合する。直進筒連結ピンＭＣは直進筒３の内周側の円周溝と係合する。また、カム筒５は、固定筒６のカムフォロア６ａと係合するカム溝ＭＫが形成されている。これにより、カム筒５は、ズーム環２に伴って回転しながら、直進筒３とともに固定筒６に対して繰り出される。
直進筒３は、上述したように、内周側に円周溝を有し、カム筒５の直進筒連結ピンＭＣとバヨネット結合している。また、直進筒３は内周側に直進キー（凸部）が設けられ、固定筒６に設けられた直進溝に係合する。これにより、ズーム環２の回転によってカム筒５が回転繰り出しすると、直進筒３は固定筒６に対して直進する。
【００１１】
第１群移動筒４は、第１群レンズ枠４ａを保持する。第１群レンズ枠４ａは第１群レンズＬ１を保持する。また、第１群移動筒４に設けられたカムフォロアは、図４に示すカム筒５の第１群カム溝Ｍ１に係合する。また、第１群移動筒４の外周側には、直進筒３の内周側の直進溝に係合する連結ピンが設けられ、これにより、第１群移動筒４は回転せずに直進する。
【００１２】
第２群移動筒７は、第２群レンズ枠１１を保持する。第２群レンズ枠１１は第２群レンズＬ２を保持する。また、第２群移動筒７に設けられたカムフォロア７ａは、カム筒５の第２群カム溝Ｍ２と係合する。さらに、第２群移動筒７の外周側には直進キー（凸部）７ｆが設けられており、固定筒６の直進溝（凹部）６ｂと係合する。これにより、第２群移動筒７は回転せずに直進する。なお、第２群移動筒７に直進溝が設けられ、固定筒６に直進キーが設けられる構成でもよい。
【００１３】
第３−５群移動筒８は、モータ移動筒９の外周側に配置され、光軸方向に移動可能な移動筒である。第３−５群移動筒８の先端には絞りユニット２０が取り付けられている。詳細は後述する。
モータ移動筒９は、第４群レンズＬ４を駆動するフォーカスモータが固定されている。モータ移動筒９のカムフォロアは、第３−５群移動筒８の長穴及び固定筒６の直進溝を貫通し、カム筒５のモータカム溝ＭＭと係合する。さらに、モータ移動筒９は直進キー（凸部）を有しており、第３−５群移動筒８の直進溝と係合する。これにより、モータ移動筒９は、回転せずに光軸方向に直進移動が可能である。また、フォーカスモータは第４群レンズ枠１０と係合し、第４群レンズ枠１０及び第４群レンズＬ４を光軸方向に駆動することができる。これにより、第４群レンズ枠１０及び第４群レンズＬ４は、モータ移動筒９の直進移動及びフォーカスモータによる駆動によって光軸方向に移動する。
【００１４】
以上より、ズーム環２を回転すると、カム筒５は、ズーム環２と同じ角度を回転しながら、繰り出される。カム筒５の回転により、第１群レンズＬ１、第２群レンズＬ２、第３群レンズＬ３、第５群レンズＬ５はそれぞれのカム溝に沿って直進する。また、第４群レンズＬ４は、カム筒５の回転及びフォーカスモータの駆動によって直進する。
【００１５】
次に、第３−５群移動筒８、絞りユニット２０、第２群移動筒７、カム筒５について詳細に説明する。図５はカム筒５、第２群移動筒７、絞りユニット２０、第３−５群移動筒８の分解斜視図である。
【００１６】
（第３−５群移動筒８）
第３−５群移動筒８は、前側に第３群レンズＬ３、後ろ側に第５群レンズＬ５を保持する。第３−５群移動筒８の外周には、同一円周状の互いに略１２０度の位置に配置された３つのカムフォロア８ａが外周側に向かって延びている。３つのカムフォロア８ａは、固定筒６の直進溝６ｃを貫通して、図４に示す第３−５群カム溝Ｍ３５とそれぞれ係合している。
第３−５群移動筒８の外周面には、同一円周状の互いに略１２０度の位置に配置された３つの直進キー（凸部）８ｂが設けられている。直進キー８ｂには、後述の第２群移動筒７の内面に設けられた直進溝７ｃが係合する。なお、第３−５群移動筒が直進溝を備え、第２群移動筒７が直進キーを備える構成でもよい。
以上より、第３−５群移動筒８は、回転せずに直進移動する。
【００１７】
（絞りユニット２０）
第３−５群移動筒８の前端には、絞りユニット２０が固定されている。絞りユニット２０は、前側から、調整板２１Ａと、複数枚の絞り羽根２３と、カム板２４と、固定環２５と、ステッピングモータ２６及びフレキシブルプリント基板２７と、を備えている。調整板２１Ａと、複数枚の絞り羽根２３と、カム板２４と、固定環２５とは、光軸ＯＡを中心として配置されている。
【００１８】
（調整板２１Ａ）
調整板２１Ａは、前側から調整ベース板２１と調整環２２とを備える。調整ベース板２１と調整環２２とはビスで互いに固定されている。また、このビスは少し緩めて固定しているため、調整ベース板２１を調整環２２に対して回転方向に微調整することができる。これにより絞りの精度の調整ができる。
【００１９】
（調整ベース板２１）
調整ベース板２１は円環状で、外周面に、同一円周状の互いに略１２０度の位置に配置された３つのカムフォロア２１ａが外周側に向かって延びている。カムフォロア２１ａは、後述する第２群移動筒７の調整カム溝７ｂに沿って回転移動する。
図６は、組み立てられた状態の絞りユニット２０の部分側面図である。図示するように調整ベース板２１のカムフォロア２１ａの近傍の互いに略１２０度の３か所には、後方に向ってバネかけ部２１ｂが延びている。
【００２０】
（調整環２２）
図５に戻り、調整環２２は円環状で、後述の絞り羽根２３の前面に取り付けられた調整ピン２３ａが係合する、絞り羽根２３の枚数と同数の穴２２ａが設けられている。
調整環２２は、調整ベース板２１の回転とともに回転し、複数枚の絞り羽根２３で形成される開口の開放径を調整する。
【００２１】
（絞り羽根２３）
絞り羽根２３は、薄板状部材により形成され、光軸ＯＡ方向に重ね合わせて配置されている。絞り羽根２３の枚数は、実施形態では７枚であるがこれに限定されない。それぞれの絞り羽根２３の前面には、調整環２２の穴２２ａに係合する調整ピン２３ａが取り付けられ、後面には、後述のカム板２４の駆動カム溝２４ａと係合する絞り値変更ピン２３ｂが設けられている。
【００２２】
（カム板２４）
カム板２４は円環状で、前側に、絞り羽根２３の絞り値変更ピン２３ｂが係合する、絞り羽根２３の枚数と同数の駆動カム溝２４ａが設けられている。またカム板２４の後側の外周の一部には、ギア部２４ｂが形成されており、ギア部２４ｂには、ステッピングモータ２６の回転軸に取り付けられた後述のギア２６ａが噛み合っている。
【００２３】
（固定環２５）
固定環２５は円環状で、第３−５群移動筒８に固定され、カム板２４を回転可能に保持する。固定環２５の互いに略１２０度の３か所には、図６に示すように、前側に延びるバネかけ部２５ａが形成されている。調整ベース板２１のバネかけ部２１ｂと固定環２５のバネかけ部２５ａとの間には、３か所それぞれ、付勢バネ２８が取り付けられ、付勢バネ２８は、バネかけ部２１ｂとバネかけ部２５ａとが互に近づく方向に付勢している。
【００２４】
（ステッピングモータ２６）
図５に戻り、固定環２５にはステッピングモータ２６が固定され、ステッピングモータ２６の回転軸にはギア２６ａが取り付けられ、ギア２６ａは、ギア部２４ｂと噛み合っている。
ステッピングモータ２６からフレキシブルプリント基板２７が延び、フレキシブルプリント基板２７は、図示しない制御基板へと延びている。
【００２５】
（第２群移動筒７）
第２群移動筒７は、第２群レンズ枠１１を保持し、絞りユニット２０及び第３−５群移動筒８の外側に配置される。また、第２群レンズＬ２は、絞りユニット２０及び第３群レンズＬ３の前側に位置する。
【００２６】
図２，３に示すように、第２群移動筒７の外周面には、同一円周状の互いに略１２０度の位置に配置された３つのカムフォロア７ａが外周側に向かって延びている。また、カムフォロア７ａから後方に向って直進キー７ｆが光軸方向に延びている。一方、固定筒６の内面には、直進キー７ｆと係合する直進溝６ｂが光軸方向に延びている。直進キー７ｆと直進溝６ｂとの係合長は、第２群移動筒７のガタ（倒れ）を防止するためにある程度の長さが取られている。この係合長は、第２群レンズＬ２の重量、第２群移動筒７の径、固定筒６の筒の径、第２群レンズＬ２の繰り出し量（直進移動量）等によって決まる。また、カムフォロア７ａは、図４に示すカム筒５の第２群カム溝Ｍ２に係合している。
【００２７】
カム筒５が回転すると第２群移動筒７のカムフォロア７ａはカム筒５の第２群カム溝Ｍ２に沿って移動する。このとき、直進キー７ｆが直進溝６ｂとの係合長は、第２群レンズＬ２のガタ（倒れ）に対して必要十分に確保されているので、第２群移動筒７は、固定筒６に対してガタつくことなく前後移動する。
【００２８】
第２群移動筒７と第３−５群移動筒８との相対的な移動量は、比較的小さい。例えば、第２群移動筒７と第３−５群移動筒８との移動量は、固定筒６と第３−５群移動筒８の相対的な移動量より小さい。後述する調整カム溝７ｂは、第３−５群移動筒８（絞りユニット２０）との相対的な移動量が小さい第２群移動筒７に形成されるので、絞りユニットを精密に制御することができる。
【００２９】
図７は第２群移動筒７を説明する図で、（ａ）は第２群移動筒７の一部分を内面側から見た図、（ｂ）は調整カム溝７ｂの拡大図である。
【００３０】
図示するように、第２群移動筒７の内面には、同一円周状の互いに略１２０度の位置に設けられた調整カム溝７ｂと、直進溝７ｃとが設けられている。直進溝７ｃは、第３−５群移動筒８の外周面に形成された直進キー８ｂと係合しており、第２群移動筒７と第３−５群移動筒８は回転せずに直進移動する。
調整カム溝７ｂは、光軸ＯＡと平行な直進溝７ｃと、非平行な部分を有する。つまり、調整カム溝７ｂは、直進溝７ｃに対して傾いている領域を含む。言い換えると、直進溝７ｃと調整カム溝７ｂとの間の距離は、光軸ＯＡに沿って変化する。そして、調整ベース板２１のカムフォロア２１ａは、第２群移動筒７の調整カム溝７ｂと係合している。また、調整ベース板２１（絞りユニット２０）と第２群移動筒７の間には他の筒部材はないので、カムフォロア２１ａは、他部材を貫通することなく、調整カム溝７ｂに直接係合している。
そして、レンズ鏡筒１の焦点距離が望遠と広角との間で変化すると、調整カム溝７ｂ内でのカムフォロア２１ａの位置も変化する。つまり、カムフォロア２１ａは、広角状態と望遠状態とで、光軸を中心とする周方向における位置が変化する。図７（ｂ）に、広角状態におけるカムフォロア７ａの調整カム溝７ｂ内での位置をＷ、望遠状態におけるカムフォロア７ａの調整カム溝７ｂ内での位置をＴで示す。
【００３１】
（カム筒５）
カム筒５は、第２群移動筒７より外周側に配置されている。また、カム筒５と第２群移動筒７との間には固定筒６が配される。
図４はカム筒５の展開図である。カム筒５には、複数のカム溝が形成されている。図４において実線は外面に設けられているカム溝、又は貫通しているカム溝であり、点線は内面に設けられているカム溝である。
それぞれのカム溝には、対応するカムフォロアが係合する。図４においてそれぞれのカム溝内の点線の丸は、カムフォロアの位置を示し、Ｓが記載された丸は縮筒状態でのカムフォロアの位置、Ｗが記載された丸は広角状態でのカムフォロアの位置、Ｔが記載された丸は望遠状態でのカムフォロアの位置を示す。
【００３２】
第１群カム溝Ｍ１は、第１群レンズＬ１を保持する第１群レンズ筒４を駆動するカム溝である。
衝撃カム溝Ｍ１ａは、衝撃対策のために設けられたカム溝である。衝撃カム溝Ｍ１ａは、縮筒から広角の状態で、第１群レンズ筒４に備えられた衝撃対策ピン（図示せず）と係合する。
カム溝ＭＫは、固定筒６から延びるカムフォロア６ａと係合し、固定筒６に対してカム筒５の回転により、カム筒５を光軸方向に駆動するカム溝である。
また、カム筒５には、ズーム環２の内面に設けられた直進溝と係合するズーム連動ピンＭＺ、及び、直進筒３の内面に設けられた円周溝と係合する直進筒連結ピンＭＣが設けられる。
モータカム溝ＭＭは、モータ移動筒９を駆動するカム溝である。
【００３３】
第２群カム溝Ｍ２は貫通溝で、第２群移動筒７を駆動するカム溝である。第３−５群カム溝Ｍ３５は、第３−５群移動筒８を駆動するカム溝である。
図示するように、広角から望遠にレンズ鏡筒１の焦点距離が変化すると、第２群カム溝Ｍ２でのカムフォロア７ａと、第３−５群カム溝Ｍ３５内でのカムフォロア８ａとの光軸方向の距離は、徐々に減少する。すなわち、広角状態から望遠状態に移動するときに、第３−５群移動筒８と、第２群移動筒７との相対距離は、常に減少する。すなわち、広角から望遠に向うにつれ、第２群移動筒７に対して絞りユニット２０は一方向（距離が減少する方向）に移動するため、前述した付勢バネ２８により常にカムフォロア２１ａは調整カム溝７ｂに対して同じ面に付勢される。
【００３４】
次に、絞りユニット２０の動作を説明する。
（絞り値変更による駆動）
例えば、撮影者がボディに備えられたボタンやタッチパネルを操作して絞り値を変更すると、ボディよりレンズ鏡筒１の制御部へと絞り値に関する信号が伝達される。ステッピングモータ２６が制御部からの制御により駆動される。ステッピングモータ２６が駆動すると、ギア２６ａが回転し、ギア２６ａと噛み合っているギア部２４ｂが駆動されてカム板２４が回転する。カム板２４が回転すると、駆動カム溝２４ａに係合している絞り値変更ピン２３ｂの位置が変わり、それにより、絞り羽根２３で形成される絞り開口径が変化する。
【００３５】
（ズーム位置による駆動）
絞りの開放径は、同じ絞り値でも、ズーム位置（焦点距離）によって変動する。図８は広角状態での、第２群移動筒７、第３−５群移動筒８の位置関係、及びそれに伴うカムフォロア２１ａの調整カム溝７ｂに対する位置関係を説明する図である。
図９は望遠状態での、第２群移動筒７、第３−５群移動筒８の位置関係、及びそれに伴うカムフォロア２１ａの調整カム溝７ｂに対する位置関係を説明する図である。
【００３６】
図８においてカムフォロア２１ａは、光軸方向において、調整カム溝７ｂの中央よりやや後ろ側に位置する。図８の状態からズーム環２がテレ方向に回転されると、カム筒５が回転する。それに伴って、各レンズを保持するレンズ筒が光軸方向に駆動されることによってズーム位置（焦点距離）が望遠側に変化する。
このとき、図９に示すように、第２群移動筒７と第３−５群移動筒８とは、それぞれカム筒５の第２群カム溝Ｍ２及び第３−５群カム溝Ｍ３５に沿って、光軸ＯＡ方向に直進駆動される。第２群移動筒７と第３−５群移動筒８とは、直進キー８ｂに沿って直進溝７ｃが移動することにより互いの相対回転が防止されている。
【００３７】
焦点距離の変更によって、第２群移動筒７と第３−５群移動筒８との光軸ＯＡ方向の相対的な位置関係（距離）が変わると、調整カム溝７ｂ内でのカムフォロア２１ａの光軸方向の位置が変わる。
調整カム溝７ｂは、直進溝７ｃと非平行な部分を有する。したがって、広角状態から望遠状態に変わる際に、調整カム溝７ｂ内におけるカムフォロア２１ａの光軸ＯＡ方向の位置が変わると、カムフォロア２１ａは光軸ＯＡを中心として、図８、図９の図中矢印Ｓで示す方向に移動（回転）する。
そうすると、カムフォロア２１ａが設けられた調整ベース板２１、すなわち調整板２１Ａは、第３−５群移動筒８に固定された固定環２５に対して光軸ＯＡを中心として回転する。
【００３８】
図１０は、広角状態でのカム板２４と、絞り羽根２３との位置関係を示した前側（被写体側）からみた図であり、絞り羽根２３は１枚のみ示す。図１１は、望遠状態でのカム板２４と、絞り羽根２３との位置関係を示した前側からみた図であり、絞り羽根２３は１枚のみ示す。
図８から図９に変化し、カムフォロア２１ａが前方から見たときに周方向に反時計回りに距離Ｓ回転すると、図１０の調整ピン２３ａもカムフォロア２１ａと同様に反時計回りに距離Ｓ回転する。
そうすると、図１１に示すように、絞り羽根２３に設けられた絞り値変更ピン２３ｂが駆動カム溝２４ａに沿って移動して、絞り羽根２３が開き、絞り開口径が大きくなる。
【００３９】
逆に、図９から図８に変化し、カムフォロア２１ａが前方から見たときに周方向に時計回りに距離Ｓ回転すると、図１１の調整ピン２３ａもカムフォロア２１ａと同様に時計回りに距離Ｓ回転する。
そうすると、図１０に示すように、絞り羽根２３に設けられた絞り値変更ピン２３ｂが駆動カム溝２４ａに沿って移動して、絞り羽根２３が閉じて絞り開口径が小さくなる。
【００４０】
（１）以上、本実施形態によると、絞りユニット２０の絞り羽根２３を駆動するためのカムフォロア２１ａが調整ベース板２１に設けられている。その調整ベース板２１の外周側に第２群移動筒７が配置されている。第２群移動筒７の内面には、絞り開放径駆動用の調整カム溝７ｂが設けられている。カムフォロア２１ａは、調整カム溝７ｂと係合している。固定筒６に調整カム溝７ｂを形成する必要がないため固定筒６の長さを短くでき、レンズ鏡筒１を小型にすることができる。
また、カムフォロア２１ａは、他の筒部材を貫通することなく、調整カム溝７ｂに係合される。言い換えると、絞りユニットのすぐ外側にある部材に調整カム溝が形成される。このため、他の筒部材にカムフォロア２１ａを通す貫通溝を設ける必要がないので、強度が向上する。また、構造も簡単になる。駆動効率も上がる。
【００４１】
（２）第２群移動筒７は第２群レンズＬ２を保持する第２群レンズ枠１１を駆動する筒である。このようにレンズ駆動用の筒であるため、直進キー７ｆと直進溝６ｂとの係合によって、ガタ等が発生しないように高精度で製造及び駆動されている。このように高精度に構成された部材に絞り開放径駆動用の調整カム溝７ｂを設けることで、絞り駆動を精度よく行うことができる。また、光学性能への悪影響も少なくできる。
【００４２】
（３）絞りユニット２０は、第２群移動筒７と少なくとも１部が重なるように第２群移動筒７の内周側に配置している。また、絞りユニット２０と第２群移動筒７とは相対的な移動量が比較的少ない。このような第２群移動筒７に絞り開放径駆動用の調整カム溝７ｂを設けたので、絞りユニットの開放径を精度よく制御することができる。
【００４３】
（４）第２群移動筒７に対する絞りユニット２０（第３−５群移動筒８）の移動方向は１方向である。実施形態では、広角状態から望遠状態に移動するときに、第３−５群移動筒８と、第２群移動筒７との相対距離は減少していく。これにより、絞り開放径を変更するための調整カム溝７ｂの形状を一定方向に変化させるだけでよく、調整カム溝７ｂが複雑化しない。
【００４４】
（５）調整ベース板２１（調整板２１Ａ）と固定環２５との間に、固定環２５に対して調整ベース板２１を、光軸ＯＡを中心とした一定の回転方向に付勢する付勢バネ２８が取り付けられている。この付勢バネ２８の調整ベース板２１への取り付け箇所は、カムフォロア２１ａが形成されている個所の近傍である。したがって、付勢バネ２８の付勢力が、効率よくカムフォロア２１ａに伝達され、カムフォロア２１ａを調整カム溝７ｂに対して確実に押圧することができる。
【００４５】
（６）図１２（ａ）は第２群移動筒７の断面図で、（ｂ）は（ａ）の一部拡大図である。図１２に示すように、第２群移動筒７の内側には、直進溝７ｃと調整カム溝７ｂとが形成されている。
第２群移動筒７が金型によって成形される場合、成形時においては、直進溝７ｃと調整カム溝７ｂとを、一つの金型を用いて内面側から形成することが多い。
【００４６】
この場合、金型の形状が直進溝７ｃに合わせて作られていると、調整カム溝７ｂは周方向の両側面を高精度に成形することが難しく、一方の側面の精度が他方の側面に比べて悪くなることがある。
図１２で示す側面７ｄの精度が側面７ｅよりも高い場合、カムフォロア２１ａを付勢バネ２８によって図中矢印方向に付勢し、カムフォロア２１ａを側面７ｄに当接させる。カムフォロア２１ａと側面７ｅとの間には、わずかに隙間が生じている。
このようにすることで、精度が高い側面７ｄによってカムフォロア２１ａが駆動されるので、絞り開口径の調整を精度よく行うことができる。
また、直進溝７ｃと、調整カム溝７ｂとを一つの金型を用いて形成しても絞り開口径の調整を精度よく行うことができるので、別々の金型で製造する必要がなく、コスト削減が可能で且つ容易に製造することができる。
【００４７】
なお、実施形態では、調整ベース板２１の周方向の３か所にカムフォロア２１ａが形成されている。しかし、カムフォロア２１ａは、３か所でなくてもよく、１箇所であっても絞り径の駆動は可能である。また、３つのカムフォロア２１ａは３か所に設けるが、そのうちの２つのサイズを小さくして予備のカムフォロアとし、１つのカムフォロアのみをカム溝と当接させるようにしても良い。
【００４８】
なお、上述した構成は必ずしもすべてを備える必要はなく、任意の組み合わせでも良い。
【符号の説明】
【００４９】
１：レンズ鏡筒、２：ズーム環、３：直進筒、４：第１群レンズ筒、５：カム筒、６：固定筒、６ａ：カムフォロア、７：第２群移動筒、７ａ：カムフォロア、７ｂ：調整カム溝、７ｃ：直進溝、８：第３−５群移動筒、８ａ：カムフォロア、８ｂ：直進キー、９：モータ移動筒、１０：第４群レンズ枠、１１：第２群レンズ枠、２０：絞りユニット、２１Ａ：調整板、２１：調整ベース板、２１ａ：カムフォロア、２１ｂ：バネかけ部、２２：調整環、２２ａ：穴、２３：絞り羽根、２３ａ：調整ピン、２３ｂ：絞り値変更ピン、２４：カム板、２４ａ：駆動カム溝、２４ｂ：ギア部、２５：固定環、２５ａ：バネかけ部、２６：ステッピングモータ、２６ａ：ギア、２７：フレキシブルプリント基板２８：付勢バネ
【図１】
0006989015.tif 000002
【図２】
0006989015.tif 000003
【図３】
0006989015.tif 000004
【図４】
0006989015.tif 000005
【図５】
0006989015.tif 000006
【図６】
0006989015.tif 000007
【図７】
0006989015.tif 000008
【図８】
0006989015.tif 000009
【図９】
0006989015.tif 000010
【図１０】
0006989015.tif 000011
【図１１】
0006989015.tif 000012
【図１２】
0006989015.tif 000013